(57)【要約】  提案の装置は、音声再生に関する。再生装置は、多角体であり、動作モード及び入力信号を選択的に受信するための重力制御スイッチを好ましくは備えている。割り当てられるチャネルは、側面と直接リンクしている。ユニットは、底部でもって支持されている。正面側又は裏面側で置かれると、ユニットは電源オフ状態になる。【選択図】図1
2014516226.tif 000002
【特許請求の範囲】
【請求項１】
筐体、入力信号受信手段、入力信号に関するいくつかのチャネル間のスイッチ手段、入力信号増幅器、音声再生手段、電源装置、電源スイッチギアを含む再生装置であって、
前記筐体は、多角体であって、各側面を底部として使用することができ、
空間配向依存的スイッチ手段は、その空間的配向に従って可能性があるいくつかのチャネルの内の1つを選択的に受信する能力を有する、再生装置。
【請求項２】
前記空間配向依存的スイッチ手段は、その空間的配向に従って可能性があるいくつかの装置動作モードの内の1つを更に選択することができるように構成されている、請求項１に記載の再生装置。
【請求項３】
可能性があるいくつかのチャネルの内の1つを受信すること又は可能性があるいくつかの装置動作モードの内の1つを使用可能にすることは、どの水平面を底部として下方に使用するかに依存する、請求項１又は２に記載の再生装置。
【請求項４】
前記装置は、複数の側面の内の1つの側で置くと電源オフ状態になる、請求項３に記載の再生装置。
【請求項５】
前記装置は、正面側で置くと電源オフ状態になる、請求項４に記載の再生装置。
【請求項６】
前記装置は、裏面側で置くと電源オフ状態になる、請求項４に記載の再生装置。
【請求項７】
前記装置は、電源をオンの状態にしつつ任意のチャネルにすることができる、請求項１又は２に記載の再生装置。
【請求項８】
前記入力信号は、ラジオチャネルを介して受信される、請求項１又は２に記載の再生装置。
【請求項９】
側面の数は、チャネル及び動作モードの数に基づいて選択される、請求項１又は２に記載の再生装置。
【請求項１０】
前記電源装置は、本体への接続と独立方式接続の両方で動作することができる、請求項１又は２に記載の再生装置。
【請求項１１】
前記スイッチ手段は、どのユニット面を底部として使用するかに依存して、可能性があるいくつかのチャネルの内の1つを選択する能力、又は装置のいくつかの動作モードの内の1つを選択する能力によって実行される、請求項１又は２に記載の再生装置。
【請求項１２】
前記装置は、据付けの支持体に掛けることができるように構成されている一方で、懸垂装置は1又は複数の軸に沿って配向を変更する能力を有する、請求項１又は２に記載の再生装置。
【請求項１３】
スイッチング装置は、前記装置の空間的配向に反応する1又は複数の重力依存的センサーを含む、請求項１又は２に記載の再生装置。
【請求項１４】
スイッチング装置は、前記装置の空間的配向に反応する１又は複数の超音波センサーを含む、請求項１又は２に記載の再生装置。
【請求項１５】
スイッチング装置は、前記装置の空間的配向に反応する１又は複数の光学センサーを含む、請求項１又は２に記載の再生装置。
【請求項１６】
スイッチング装置は、前記装置の空間的配向に反応する１又は複数のラジオセンサーを含む、請求項１又は２に記載の再生装置。
【請求項１７】
他のチャネルへチューニングすること又は他の動作モードに変えることは、前記ユニットがその空間配向を変えた後、即ち、別の側面を底部として置いた後に生じる、請求項１又は２に記載の再生装置。
【発明の詳細な説明】
【技術分野】
【０００１】
記述
提案する装置は、概して、音声再生ハードウェアに関するものであり、特に音声増幅及び再生装置に関するものである。
【０００２】
先行技術
音声再生システムは、再生する音響を増幅するために用いられる。使い勝手を良くし、消費者に対する質を向上させるために、今日では、音響電磁ユニット(スピーカー)以外の再生ハードウェア(即ち、少なくともアンプ、そして時には電源ユニットも含むもの)に主に力が入れられている。ラジオ入力用装置(例えば、BLUETOOTH(登録商標)、WiFi(登録商標))を備える、アンプなしの能動的再生システムがある。
【０００３】
例えば米国特許7406294である。このユニットは、ラジオチャネルを介して末端装置に音声信号を伝送することが可能である。
【０００４】
米国特許7925307には、ラジオチャネルを介する末端ユニットへの信号の送受信を向上させる音声再生装置に関する特許ファミリーの共通アセンブリが記載されている。
【０００５】
かかるユニットの不利な点は、複雑さと移動性の欠如である。
【０００６】
米国特許7653344は、最も類似する音声再生装置のアセンブリを記載している。これは、多数の装置から信号を(同時にではなく)受信して、それらをラジオチャネル上の端末装置に転送することが可能である。
【０００７】
複数ユニットの不利な点は、複雑さと移動性の欠如である。
【０００８】
この装置を、先行技術として選択した。
【０００９】
提案される装置によって達成される技術的効果は、主に設計を単純にしてその外表面での操作を全て廃止することで利便性を高めること、ワイヤーを廃止して移動性を高めること、更なる特別手段、留め具及びツール並びに労力なしに、そして外部電源装置なしにどのような部屋にでも装置を設置することができる設置可能性を高めること、このタイプの装置の範囲を拡大すること、消費者に対する質を高めることである。
【００１０】
公知の装置では、これらの効果を完全に発揮させることができなかったり、部分的にしか発揮させることができなかったりする。
【００１１】
発明表示
概要
床、テーブル、任意の他の水平表面に装置を設置する場合は各側面を底部として使用することができ、無線(主にラジオ)チャンネル上の入力多重チャンネル信号を受信することができ、そして、受信チャネルの適用又は動作モードはユニットの空間的配向(空間的位置(spatialization))に明確に依存する(即ち、装置のユニット側面は底部として使用される)、多角形の音声再生システムを以下で提案する。チャネル又は動作モードを切替えるには、単にユニットを回して他の側面を底部として使用すればよい。
【図面の簡単な説明】
【００１２】
【図１】図1は、(複数ある側面の内の1つの)動作ポジションにある(種々の大きさの側面を有する)六角形ユニットの正面図を示す。
【図２】図2は、(複数ある側面の内の1つの)動作ポジションにある(種々の大きさの側面を有する)六角形ユニットの背面図を示す。
【図３】図3は、正面側を下にしたオフモードポジションにある、六角形ユニットの外観を示す。
【図４】図4は、可能性がある入力源を示す。
【図５ａ】図5aは、アパートにおいて、可能性がある装置構成の1つを示す。
【図５ｂ】図5bは、アパートにおいて、可能性がある別の装置構成を示す。
【図５ｃ】図5cは、アパートにおいて、可能性がある更に別の装置構成を示す。
【発明を実施するための形態】
【００１３】
図において使用する呼称。
1-ユニット本体
2-底部として使用可能な側面
3-ユニットの正面側
4-ユニットの裏面側
5-電源装置及びバッテリ充電のためのソケット
6-六角形装置の模式的な表示図
7-信号源
【００１４】
詳細な説明
底部として各側面を使用することができ、無線(主にラジオ)チャンネル上の入力多重チャンネル信号を受信することができ、ユニットの空間的位置に明確に依存する(即ち、ユニット側面は底部として使用される)動作モード又は受信チャネルを選択及び適用することができる、多角形の音声再生システムを、以下で提案する。
【００１５】
このユニットは、ユニット正面側又は裏面側で設置されると、スイッチオフモードになる。
【００１６】
このユニットは、ある装置面を底部として置くことによって(底部として使用する1つの側面にスイッチのオン状態を割り当てることによって)か、ラジオチャネル又は運転モードの1つにチューニングすることによって電源オンのモードにすることができる。
【００１７】
入力信号は、好ましくはラジオチャネルを介して受信される。
【００１８】
しかしながら、入力信号は、超音波、音、赤外線又は他の周知のタイプの無線チャネルによって伝送可能である。
【００１９】
装置の側面数は、チャネル及び運転モードの数に基づいて選択される。
【００２０】
スイッチ手段には、ユニットのポジションに反応する一つ以上の重力センサーを含ませることができる。
【００２１】
ユニットのポジションは、光学、超音波、極超短波センサー、又は、精度、サイズ、効率及び他の操作変数による適切な任意のタイプのセンサーによって検出可能である。
【００２２】
電源手段は、本体への接続と独立モード(自律電源発生源(例えば蓄電池)を含むことも可能)の両方でも動作することができる。
【００２３】
スイッチ手段は、どのユニット面が底部として使われるかによって可能性がある多くのチャネルの内の1つに直接接続する能力、及び/又は、ユニットにおけるいくつかの動作モードの1つを作動させる能力によって実行される。
【００２４】
他のチャネルへのチューニング及び/又は他の動作モードへの変更は、ユニットの空間的配向が変化した後、即ち、ユニットを回転させて他の側面を底部として置いた後に生じる。
【００２５】
壁又は他の支持体への取付けは可能である。この場合、動作モード及び/又は受信チャネルは、どのユニット面が下向きかによる。ユニットに対するこの実施には、1又は複数の軸に沿ってユニットを回転させることができる懸垂機構を設ける必要がある。
【００２６】
ユニット操作
初期位置は、ユニットの停止面側、即ち、表面側又は裏面側である。
【００２７】
スイッチを入れるために、ユニットを動作させるモード(六角形の本体の場合)--「モノ」、「左前」、「前中央」、「右前」、「左後方」、「右後方」を選択し、そして、対応する側面を底部として選択する。この時、電源装置にスイッチが入り、空間配向依存的スイッチが必要なチャネルに繋げる。入力チャネルは、指定のチャネルから受信され、パワーアンプで増幅し、そしてスピーカーを介して再生される。受信信号を変えるためには、本体を回して、対応する側面を底面として置くことになる。作業後、このユニットは、スイッチがオフになるその正面側又は裏面側で置くことになる。
【００２８】
実施例1
各側面にチャネルを割り当てる。
【００２９】
八面体のユニット-三角形の底部を有するピラミッド。
【００３０】
前方側面-装置(ユニット)はオフ状態である。
側面1-モノラルモード。
側面2-左前モード。
側面3-右前モード。
【００３１】
実施例2
底部として使用する側面にチャネルを割り当てる(図1-5に対応)。
【００３２】
ユニットは、六面体である。
【００３３】
チャネルを側面に割り当てる。
正面側-装置(ユニット)は、オフ状態である。
裏面側-装置(ユニット)は、オフ状態である。
側面1-モノラルモード。
側面2-左前モード。
側面3-前中央モード。
側面4-右前モード。
側面5-左後方モード。
側面6-右後方モード。
【００３４】
ユニットのための信号源は、1又は複数の出力音響チャンネル及び装置の無線ネットワークと適合する無線ネットワークを含む任意の公知の装置であってもよい。
【００３５】
装置(ユニット)の使用例は、図5a、5b、5cに示される。ラジオ信号源は、部屋の壁近くに示されるユニットである。ラジオ範囲内にある、種々の部屋やアパートの外に設置された音声再生システムは、入力信号に関する種々のチャネルを受信するようにスイッチが入れられ、様々なモードの音響再生が可能になる。
【図１】
2014516226.tif 000003
【図２】
2014516226.tif 000004
【図３】
2014516226.tif 000005
【図４】
2014516226.tif 000006
【図５ａ】
2014516226.tif 000007
【図５ｂ】
2014516226.tif 000008
【図５ｃ】
2014516226.tif 000009
【国際調査報告】
2014516226.tif 000010